(57)【要約】【課題】必要に応じてユーザーを搬送読取りモードへ誘導することができる読取り装置を提供する。【解決手段】ＡＤＦ２７により搬送される原稿Ｄを読み取る搬送読取りモードと、載置部７に載置された原稿Ｄを読み取る載置読取りモードとを実行可能な読取り装置であって、載置読取りモードが実行されたことにより取得された判断情報に基づいて、ユーザーに搬送読取りモードを勧めるか否かを判断し、搬送読取りモードを勧めると判断したときに、搬送読取りモードを勧めるように報知部を制御し、搬送読取りモードを勧めないと判断したときに、搬送読取りモードを勧めないように報知部を制御する制御部を備えた。【選択図】図２
2020039037.tif 000002
【特許請求の範囲】
【請求項１】
ユーザーにより原稿がセットされるセット部を有し、前記セット部にセットされた前記原稿を搬送する搬送部と、
ユーザーにより前記原稿が載置される載置部と、を備え、
前記搬送部により搬送される前記原稿を読み取る搬送読取りモードと、前記載置部に載置された前記原稿を読み取る載置読取りモードと、を実行可能な読取り装置であって、
前記載置読取りモードが実行されたことにより取得された判断情報に基づいて、ユーザーに前記搬送読取りモードを勧めるか否かを判断し、前記搬送読取りモードを勧めると判断したときに、前記搬送読取りモードを勧めるように報知部を制御し、前記搬送読取りモードを勧めないと判断したときに、前記搬送読取りモードを勧めないように前記報知部を制御する制御部、
を備えたことを特徴とする読取り装置。
【請求項２】
前記制御部は、前記判断情報として、前記原稿が前記搬送読取りモードによる読取りに不適であるか否かを示す第１判断情報を取得し、
前記制御部は、ユーザーに前記搬送読取りモードを勧めるか否かの判断として、前記第１判断情報に基づいて、前記原稿が前記搬送読取りモードによる読取りに不適であるか否かを判断し、前記原稿が前記搬送読取りモードによる読取りに不適ではないと判断したときに、前記搬送読取りモードを勧めるように前記報知部を制御し、前記原稿が前記搬送読取りモードによる読取りに不適であると判断したときに、前記搬送読取りモードを勧めないように前記報知部を制御することを特徴とする請求項１に記載の読取り装置。
【請求項３】
前記制御部は、前記原稿のサイズを示す原稿サイズ情報を、前記第１判断情報として取得し、
前記制御部は、前記原稿サイズ情報が示す前記原稿のサイズが、基準サイズよりも大きいときに、前記原稿が前記搬送読取りモードによる読取りに不適ではないと判断し、前記原稿サイズ情報が示す前記原稿のサイズが、前記基準サイズよりも小さいときに、前記原稿が前記搬送読取りモードによる読取りに不適であると判断することを特徴とする請求項２に記載の読取り装置。
【請求項４】
前記制御部は、前記載置読取りモードにより読み取られた前記原稿の画像データに基づいて、前記原稿サイズ情報を取得することを特徴とする請求項３に記載の読取り装置。
【請求項５】
前記制御部は、前記原稿が綴じ部を有するか否かを示す綴じ部情報を、前記第１判断情報として取得し、
前記制御部は、前記綴じ部情報が、前記原稿が前記綴じ部を有さないことを示すときに、前記原稿が前記搬送読取りモードによる読取りに不適ではないと判断し、前記綴じ部情報が、前記原稿が前記綴じ部を有することを示すときに、前記原稿が前記搬送読取りモードによる読取りに不適であると判断することを特徴とする請求項２に記載の読取り装置。
【請求項６】
前記制御部は、前記載置読取りモードにより読み取られた前記原稿の画像データに基づいて、前記綴じ部情報を取得することを特徴とする請求項５に記載の読取り装置。
【請求項７】
前記載置部を開閉する開閉カバーと、
前記開閉カバーの開閉状態に応じて異なる検出信号を出力するカバー検出部と、を備え、
前記制御部は、前記載置読取りモードの実行時に前記カバー検出部から出力された前記検出信号に基づいて、前記綴じ部情報を取得することを特徴とする請求項５に記載の読取り装置。
【請求項８】
前記制御部は、前記載置読取りモードが実行された後、次の頁の前記原稿の有無をユーザーに問い合わせる継足し確認画面を、前記報知部に表示させ、
前記制御部は、前記搬送読取りモードを勧めると判断したときに、前記継足し確認画面において、前記搬送読取りモードを勧める勧奨メッセージが表示されるように、前記報知部を制御することを特徴とする請求項１ないし７のいずれか一項に記載の読取り装置。
【請求項９】
前記制御部は、前記搬送読取りモードを勧めると判断したときに、２頁目の有無を問い合わせる前記継足し確認画面には、前記勧奨メッセージが表示されず、３頁目の有無を問い合わせる前記継足し確認画面に、前記勧奨メッセージが表示されるように、前記報知部を制御することを特徴とする請求項８に記載の読取り装置。
【請求項１０】
前記搬送読取りモードにおいて、前記原稿の片面を読み取る片面読取りモードと、前記原稿の両面を読み取る両面読取りモードと、のいずれかをユーザーに選択させる選択部、を備え、
前記制御部は、前記搬送読取りモードを勧めると判断したときに、前記片面読取りモードが選択されていると、２頁目の有無を問い合わせる前記継足し確認画面に、前記勧奨メッセージが表示され、前記両面読取りモードが選択されていると、２頁目の有無を問い合わせる前記継足し確認画面には、前記勧奨メッセージが表示されず、３頁目の有無を問い合わせる前記継足し確認画面に、前記勧奨メッセージが表示されるように、前記報知部を制御することを特徴とする請求項８に記載の読取り装置。
【請求項１１】
前記制御部は、前記判断情報として、ユーザーが前記搬送読取りモードを知らないか否かを示す第２判断情報を取得し、
前記制御部は、ユーザーに前記搬送読取りモードを勧めるか否かの判断として、前記第２判断情報に基づいて、ユーザーが前記搬送読取りモードを知らないか否かを判断し、ユーザーが前記搬送読取りモードを知らないと判断したときに、前記搬送読取りモードを勧めるように前記報知部を制御し、ユーザーが前記搬送読取りモードを知っていると判断したときに、前記搬送読取りモードを勧めないように前記報知部を制御することを特徴とする請求項１に記載の読取り装置。
【請求項１２】
前記制御部は、前記載置読取りモードが実行された読取りジョブの履歴を示す載置読取り履歴情報を、前記第２判断情報として取得し、
前記制御部は、前記載置読取り履歴情報に基づいて、前記載置読取りモードにより複数頁の前記原稿が読み取られた前記読取りジョブが基準回数より多いときに、ユーザーが前記搬送読取りモードを知らないと判断し、前記載置読取りモードにより複数頁の前記原稿が読み取られた前記読取りジョブが前記基準回数より少ないときに、ユーザーが前記搬送読取りモードを知っていると判断することを特徴とする請求項１１に記載の読取り装置。
【発明の詳細な説明】
【技術分野】
【０００１】
本発明は、原稿を読み取る読取り装置に関するものである。
【背景技術】
【０００２】
従来、特許文献１が開示するように、原稿搬送装置により搬送される原稿を読み取る搬送原稿読取りモードと、原稿載置台に載置された原稿を読み取る固定原稿読取りモードとを実行可能な原稿読取り装置が知られている。この原稿読取り装置は、搬送原稿読取りモードにおいて、搬送原稿のジャムが発生した場合に、固定原稿読取りモードに切り替え、再読み込みのための原稿を原稿載置台に置くようにユーザーを促すメッセージを、操作パネルに表示する。
【先行技術文献】
【特許文献】
【０００３】
【特許文献１】特開２００６−３３９８３０号公報
【発明の概要】
【発明が解決しようとする課題】
【０００４】
しかしながら、必要に応じてユーザーを搬送読取りモードへ誘導することは考えられていない。
【課題を解決するための手段】
【０００５】
本発明の読取り装置は、ユーザーにより原稿がセットされるセット部を有し、セット部にセットされた原稿を搬送する搬送部と、ユーザーにより原稿が載置される載置部と、を備え、搬送部により搬送される原稿を読み取る搬送読取りモードと、載置部に載置された原稿を読み取る載置読取りモードと、を実行可能な読取り装置であって、載置読取りモードが実行されたことにより取得された判断情報に基づいて、ユーザーに搬送読取りモードを勧めるか否かを判断し、搬送読取りモードを勧めると判断したときに、搬送読取りモードを勧めるように報知部を制御し、搬送読取りモードを勧めないと判断したときに、搬送読取りモードを勧めないように報知部を制御する制御部、を備えた。
【図面の簡単な説明】
【０００６】
【図１】読取り装置の外観斜視図である。
【図２】読取り装置の内部構造を示す図である。
【図３】読取り装置の制御構成を示すブロック図である。
【図４】勧奨メッセージを含まない設定実行開始画面を示す図である。
【図５】読取り面設定画面を示す図である。
【図６】勧奨メッセージを含む継足し確認画面を示す図である。
【図７】勧奨メッセージを含まない継足し確認画面を示す図である。
【図８】第１実施形態における読取りジョブの流れを示すフローチャートである。
【図９】勧奨メッセージを含む設定実行開始画面を示す図である。
【図１０】第２実施形態における読取りジョブの流れを示すフローチャートである。
【発明を実施するための形態】
【０００７】
（第１実施形態）
以下、添付の図面を参照して、読取り装置の第１実施形態について説明する。
図１および図２に示すように、読取り装置１は、本体ケース３と、開閉カバー５とを備えている。本体ケース３は、略直方体状に形成されている。開閉カバー５は、開閉カバー５の端部を支点として回転可能に本体ケース３に取り付けられており、本体ケース３の上面に設けられた載置部７を開閉する。
【０００８】
載置部７には、ユーザーにより原稿Ｄが載置される。載置部７は、フラットベッド型のものであり、例えば、透光性のガラス板によって構成されている。
【０００９】
本体ケース３の上面には、載置部７のほか、タッチパネル９と、操作ボタン１１と、カバー検出部１５とが設けられている。タッチパネル９は、各種画面を表示すると共に、ユーザーからの各種操作を受け付ける。操作ボタン１１には、例えば、電源ボタン、メニューボタンなどが含まれる。カバー検出部１５は、開閉カバー５の開閉状態に応じて異なる検出信号を出力する。
【００１０】
本体ケース３内には、キャリッジ１７と、キャリッジモーター１９とが設けられている。キャリッジ１７は、所定の走査方向に往復移動可能に構成されている。キャリッジ１７には、第１読取り部２１が搭載されている。キャリッジモーター１９は、キャリッジ１７を走査方向に往復移動させる駆動源である。第１読取り部２１は、載置部７に載置された原稿Ｄの下面を読み取る。また、第１読取り部２１は、後述するＡＤＦ２７（Auto Document Feeder）により搬送される原稿Ｄの一方の面を読み取る。第１読取り部２１は、第１光源２３と、第１イメージセンサー２５とを備えている。第１光源２３は、原稿Ｄに対して光を照射する。第１イメージセンサー２５は、原稿Ｄからの反射光を受光し、読取り信号を出力する。
【００１１】
開閉カバー５には、ＡＤＦ２７と、第２読取り部２９とが設けられている。ＡＤＦ２７は、搬送部の一例である。ＡＤＦ２７は、セットトレイ３１と、搬送経路３３と、排出トレイ３５と、搬送モーター３７とを備えている。セットトレイ３１には、ユーザーにより原稿Ｄがセットされる。セットトレイ３１は、セット部の一例である。セットトレイ３１には、セットトレイ３１上の原稿Ｄを検出する原稿検出部３９が設けられている。搬送経路３３には、供給ローラー４１と、複数の搬送ローラー対４３とが設けられている。供給ローラー４１は、セットトレイ３１にセットされた原稿Ｄを、搬送経路３３に供給する。搬送ローラー対４３は、供給ローラー４１によって供給された原稿Ｄを、排出トレイ３５に向けて搬送する。搬送モーター３７は、供給ローラー４１および搬送ローラー対４３の駆動源である。ＡＤＦ２７は、複数枚の原稿Ｄがセットトレイ３１にセットされたときには、複数枚の原稿Ｄを、１枚ずつ、自動的に搬送する。
【００１２】
第２読取り部２９は、ＡＤＦ２７により搬送される原稿Ｄの、第１読取り部２１による読取り面とは反対側の面を読み取る。第２読取り部２９は、第１読取り部２１と同様に、第２光源４５と、第２イメージセンサー４７とを備えている。
【００１３】
このように構成された読取り装置１は、ＡＤＦ２７により搬送される原稿Ｄを読み取る搬送読取りモードと、載置部７に載置された原稿Ｄを読み取る載置読取りモードとを実行可能である。すなわち、読取り装置１は、原稿検出部３９により、ＡＤＦ２７のセットトレイ３１に原稿Ｄがセットされていることが検出されたときには、搬送読取りモードを実行し、セットトレイ３１に原稿Ｄがセットされていないことが検出されたときには、載置読取りモードを実行する。
【００１４】
なお、搬送読取りモードには、第１読取り部２１および第２読取り部２９により原稿Ｄの両面を読み取る両面読取りモードと、第１読取り部２１または第２読取り部２９により原稿Ｄの片面のみを読み取る片面読取りモードとがある。ユーザーは、両面読取りモードと片面読取りモードとのいずれかを、タッチパネル９において選択可能である。タッチパネル９は、選択部の一例である。なお、両面読取りモードでは、ＡＤＦ２７により搬送される原稿Ｄの一方の面を第１読取り部２１により読み取った後、ＡＤＦ２７により原稿Ｄを反転させ、再びＡＤＦ２７により搬送される原稿Ｄの他方の面を第１読取り部２１により読み取る構成でもよい。この構成では、第２読取り部２９は不要となる。
【００１５】
本実施形態では、ＡＤＦ２７により原稿Ｄを搬送経路３３において停止させることなく搬送し、移動中の原稿Ｄを第１読取り部２１および第２読取り部２９により読み取る構成であるが、ＡＤＦ２７により原稿Ｄを搬送経路３３において一時停止させながら搬送し、一時的に停止した状態の原稿Ｄを第１読取り部２１および第２読取り部２９により読み取る構成でもよい。このどちらの構成についても、搬送されている原稿Ｄを読み取る、或いは搬送中の原稿Ｄを読み取る、と呼称するものとする。
【００１６】
図３に基づいて、読取り装置１の制御構成について説明する。読取り装置１は、制御部４９を備えている。制御部４９は、ＣＰＵ５１（Central Processing Unit）と、制御用記憶部５３と、ＡＦＥ５５（Analog Front End）と、データ処理部５７と、画像用記憶部５９と、インターフェース６１とを備えている。なお、ＣＰＵ５１に代えて、或いはＣＰＵ５１と協働させてＡＳＩＣなどを用いても良い。これら、ＣＰＵ５１やＡＳＩＣは通常、プロセッサーと呼ばれる。
【００１７】
ＣＰＵ５１は、読取り装置１全体を統括的に制御する。制御用記憶部５３には、プログラム等を記憶するＲＯＭ（Read Only Memory）、データや演算結果等を一時的に記憶するＲＡＭ（Random Access Memory）などが含まれる。ＡＦＥ５５は、第１イメージセンサー２５または第２イメージセンサー４７から出力された、アナログ信号である読取り信号を、デジタル信号に変換する。データ処理部５７は、ＡＦＥ５５から出力されたデジタル信号に対して各種補正を行い、原稿Ｄの画像データを生成する。画像用記憶部５９は、生成された画像データを記憶する。画像用記憶部５９としては、例えば、ＨＤＤ（Hard Disk Drive）、ＳＳＤ（Solid State Drive）などを用いることができる。インターフェース６１は、画像データを外部装置１０１に出力する。なお、外部装置１０１としては、例えば、パソコン、サーバー装置などを用いることができる。
【００１８】
図４ないし図６に基づいて、タッチパネル９に表示される設定実行開始画面６３、読取り面設定画面６５および継足し確認画面６７について説明する。
【００１９】
図４に示すように、設定実行開始画面６３には、スタートボタン６９と、複数の設定ボタン７１とが表示される。スタートボタン６９は、原稿Ｄの読取りを開始するためのボタンである。なお、スタートボタン６９は、操作ボタン１１と同様に、本体ケース３に物理的に設けられた構成でもよく、タッチパネル９に表示される他のボタンについても同様である。本実施形態での設定ボタン７１は、読取り面、読取りサイズ、読取り解像度、カラーモードなどの設定を行う画面を表示させるためのボタンである。設定ボタン７１の１つが操作されると、読取り面を設定するための読取り面設定画面６５が表示される。ただし、設定ボタン７１が押されることで、別の画面を介さずに設定が行われるようにしてもよい。
【００２０】
図５に示すように、読取り面設定画面６５には、片面読取りボタン７３と、両面読取りボタン７５と、決定ボタン７７とが表示される。片面読取りボタン７３は、片面読取りモードを選択するためのボタンである。両面読取りボタン７５は、両面読取りモードを選択するためのボタンである。片面読取りボタン７３および両面読取りボタン７５のいずれかが選択された後、決定ボタン７７が操作されると、片面読取りボタン７３および両面読取りボタン７５の選択に応じたモードに設定され、設定実行開始画面６３に戻る。
【００２１】
設定実行開始画面６３においてスタートボタン６９が操作されると、原稿検出部３９の検出結果に応じて、搬送読取りモード或いは載置読取りモードが実行され、原稿Ｄが読み取られる。その間、タッチパネル９には、実行中画面（図示省略）が表示される。
【００２２】
搬送読取りモードが実行された場合には、ＡＤＦ２７のセットトレイ３１にセットされた原稿Ｄが１枚ずつ搬送され読み取られる。そして全ての原稿Ｄについて搬送と読み取りが終わった後、設定実行開始画面６３がタッチパネル９に再び表示される。一方、載置読取りモードが実行された場合には、キャリッジ１７が走査することにより、載置部７にセットされた原稿Ｄが読み取られた後、継足し確認画面６７がタッチパネル９に表示される。なお、搬送読取りモードが実行された場合にも、原稿Ｄが読み取られた後、設定実行開始画面６３が表示される前に、継足し確認画面６７が表示される構成でもよい。この場合、継足し確認画面６７には、後述する勧奨メッセージ８３が表示される必要はない。
【００２３】
図６に示すように、継足し確認画面６７には、次原稿ありボタン７９と、次原稿なしボタン８１と、勧奨メッセージ８３とが表示される。
【００２４】
次原稿ありボタン７９が操作されると、この時点では原稿Ｄの画像データが外部装置１０１に出力されることなく、設定実行開始画面６３がタッチパネル９に再び表示される。そして、ユーザーにより次の原稿Ｄが載置部７或いはセットトレイ３１にセットされた後、スタートボタン６９が操作されると、次の原稿Ｄの画像データが、先の原稿Ｄの画像データに継ぎ足される。
【００２５】
一方、次原稿なしボタン８１が操作されると、取得された画像データが外部装置１０１に出力され、設定実行開始画面６３がタッチパネル９に再び表示される。なお、複数頁の原稿Ｄの画像データが順次継ぎ足して取得された場合には、次原稿なしボタン８１が操作されることで、複数頁の原稿Ｄの画像データが一括して出力される。
【００２６】
勧奨メッセージ８３は、ユーザーに搬送読取りモードを勧めるためのメッセージである。勧奨メッセージ８３の文言は、特に限定されないが、例えば、「ＡＤＦを使うと便利です」などの文言を用いることができる。さらに、勧奨メッセージ８３がタッチされると、ＡＤＦの使い方を案内する案内画面を呼び出すことができるようにしてもよい。なお、詳細は後述するが、図７に示すように、継足し確認画面６７に勧奨メッセージ８３が表示されない場合もある。
【００２７】
ここで、複数頁の原稿Ｄを、搬送読取りモードにより読み取る場合と、載置読取りモードにより読み取る場合とを比較する。複数頁の原稿Ｄを搬送読取りモードにより読み取る場合には、ユーザーは、複数頁の原稿Ｄをまとめてセットトレイ３１にセットした後、スタートボタン６９を１回操作するだけでよい。これにより、複数頁の原稿Ｄが、順次、自動的に搬送され、読み取られる。これに対し、複数頁の原稿Ｄを載置読取りモードにより読み取る場合には、ユーザーは、１頁目の原稿Ｄを載置部７にセットした後、スタートボタン６９を押し、読取り終了後、次原稿ありボタン７９を押し、開閉カバー５を開閉して２頁目の原稿Ｄを載置部７にセットした後、スタートボタン６９を押す、といった操作を、最終頁の原稿Ｄの読取りが終了するまで、繰返し行う必要がある。
【００２８】
このように、複数頁の原稿Ｄを読み取るためには、ユーザーは、搬送読取りモードを選択した方が、載置読取りモードを選択するよりも、操作が簡便である。しかしながら、ユーザーのなかには、このような搬送読取りモードを知らないために、複数頁の原稿Ｄを読み取る際にも、載置読取りモードを選択、すなわち、原稿Ｄを１頁ずつ載置部７にセットすることを選択する者が少なくない。
【００２９】
そこで、読取り装置１は、上述したように、載置読取りモード時にタッチパネル９に表示される継足し確認画面６７において、搬送読取りモードを勧める勧奨メッセージ８３を表示するようになっている。これにより、搬送読取りモードを知らないユーザーに対しても、搬送読取りモードを知らしめ、搬送読取りモードを利用するように促すことができる。
【００３０】
例えば、搬送読取りモードを知らないユーザーが、複数頁の原稿Ｄのうち、１頁目の原稿Ｄを、載置部７にセットする。そして、載置読取りモードにより１頁目の原稿Ｄが読み取られた後、継足し確認画面６７に勧奨メッセージ８３が表示される。これを見たユーザーは、次原稿ありボタン７９を操作した後、２頁目の原稿Ｄを、載置部７ではなく、ＡＤＦ２７のセットトレイ３１にセットし、スタートボタン６９を操作する。これにより、２頁目以降の原稿Ｄは、搬送読取りモードにより読み取られる。なお、この場合、搬送読取りモードにより読み取られた２頁目以降の原稿Ｄの画像データは、載置読取りモードにより読み取られた１頁目の原稿Ｄの画像データに継ぎ足されて、出力される。
【００３１】
図８を参照して、制御部４９が実行する読取りジョブの一連の流れについて説明する。図８のフローチャートは、読取り装置１の電源が入れられ、読取り装置１が起動することで開始する。上述したように、複数頁の原稿Ｄを読み取る際には、搬送読取りモードを利用した方が便利であるため、読取り装置１は、継足し確認画面６７において、搬送読取りモードを勧める勧奨メッセージ８３を表示する。もっとも、原稿Ｄが搬送読取りモードによる読取りに不適である場合には、複数頁の原稿Ｄを読み取る際にも、搬送読取りモードを勧めない方がよい。例えば、写真や運転免許証のように原稿Ｄのサイズが小さかったり、本や雑誌のように複数枚の原稿Ｄが綴じてあったりして、原稿ＤをＡＤＦ２７で搬送するのに適さない場合が考えられる。そこで、制御部４９は、原稿Ｄが搬送読取りモードによる読取りに不適であるか否かを示す第１判断情報に基づいて、ユーザーに搬送読取りモードを勧めるか否かを判断するようにしている。なお、以下の読取りジョブは、制御用記憶部５３に記憶されたプログラムをＣＰＵ５１が実行することにより実現されるが、ハードウェアのみにより実現される構成でもよい。
【００３２】
制御部４９は、ステップＳ０１において、設定実行開始画面６３をタッチパネル９に表示させる（図４参照）。
【００３３】
制御部４９は、ステップＳ０２において、スタートボタン６９が操作されたか否かを判断する。制御部４９は、スタートボタン６９が操作されたと判断したときには、ステップＳ０３に進む。制御部４９は、スタートボタン６９が操作されていないと判断したときには、ステップＳ０２を繰り返し行う。なお、制御部４９は、スタートボタン６９が押される前に設定ボタン７１が押された場合には、押された設定ボタン７１に応じた設定画面をタッチパネル９に表示させ、その設定画面における操作に基づいて、各種設定を行う。
【００３４】
制御部４９は、ステップＳ０３において、原稿検出部３９から出力された検出信号に基づいて、ＡＤＦ２７のセットトレイ３１に原稿Ｄがセットされているか否かを判断する。制御部４９は、セットトレイ３１に原稿Ｄがセットされていると判断したときには、ステップＳ０４に進む。
【００３５】
制御部４９は、ステップＳ０４において、搬送読取りモードを実行する。
【００３６】
制御部４９は、ステップＳ０５において、取得された画像データを外部装置１０１に出力した後、読取りジョブを終了する。
【００３７】
一方、制御部４９は、ステップＳ０３において、セットトレイ３１に原稿Ｄがセットされていないと判断したときには、ステップＳ０６に進む。
【００３８】
制御部４９は、ステップＳ０６において、載置読取りモードを実行する。
【００３９】
制御部４９は、ステップＳ０７において、第１判断情報として、原稿Ｄのサイズを示す原稿サイズ情報に基づいて、原稿Ｄが搬送読取りモードによる読取りに不適であるか否かを判断する。原稿サイズ情報は、ステップＳ０６において載置読取りモードにより読み取られた原稿Ｄの画像データに基づいて、取得されたものである。
【００４０】
制御部４９は、ステップＳ０７において、原稿サイズ情報が示す原稿Ｄのサイズが、基準サイズよりも大きいときには、原稿Ｄが搬送読取りモードによる読取りに不適ではないと判断し、ステップＳ０８に進む。ここで、基準サイズは、ＡＤＦ２７による搬送に適した原稿Ｄの最小サイズに基づいて定められたものであり、制御用記憶部５３に予め記憶されている。
【００４１】
制御部４９は、ステップＳ０８において、勧奨メッセージ８３を含む継足し確認画面６７をタッチパネル９に表示させる（図６参照）。
【００４２】
一方、制御部４９は、ステップＳ０７において、原稿サイズ情報が示す原稿Ｄのサイズが、基準サイズよりも小さいときには、原稿Ｄが搬送読取りモードによる読取りに不適であると判断し、ステップＳ０９に進む。
【００４３】
制御部４９は、ステップＳ０９において、勧奨メッセージ８３を含まない継足し確認画面６７をタッチパネル９に表示させる（図７参照）。
【００４４】
制御部４９は、ステップＳ１０において、次原稿ありボタン７９が操作されたか、次原稿なしボタン８１が操作されたかを判断する。制御部４９は、次原稿ありボタン７９が操作されたと判断したときには、ステップＳ０１に戻る。一方、制御部４９は、次原稿なしボタン８１が操作されたと判断したときには、ステップＳ１１に進む。
【００４５】
制御部４９は、ステップＳ１１において、取得された画像データを外部装置１０１に出力した後、読取りジョブを終了する。
【００４６】
このように、制御部４９は、載置読取りモードにより読み取られた原稿Ｄのサイズが、基準サイズよりも大きいときには、継足し確認画面６７に勧奨メッセージ８３を表示させ、載置読取りモードにより読み取られた原稿Ｄのサイズが、基準サイズよりも小さいときには、継足し確認画面６７に勧奨メッセージ８３を表示させない。これにより、写真や運転免許証のように、原稿Ｄのサイズが小さく、搬送読取りモードによる読取りに適さない原稿Ｄが載置読取りモードにより読み取られたときには、継足し確認画面６７に勧奨メッセージ８３が表示されることなく、ユーザーを搬送読取りモードへ不必要に誘導することを抑制することができる。
【００４７】
なお、制御部４９は、ステップＳ０７において、第１判断情報として、原稿サイズ情報に代えて、原稿Ｄが綴じ部を有するか否かを示す綴じ部情報に基づいて、原稿Ｄが搬送読取りモードによる読取りに不適であるか否かを判断してもよい。例えば、制御部４９は、綴じ部情報を、ステップＳ０６において載置読取りモードにより読み取られた原稿Ｄの画像データに基づいて、取得する。すなわち、制御部４９は、取得された画像データにおいて、綴じ部に相当する部分に影または歪みがあるときには、綴じ部情報として、綴じ部「有」を取得し、そのような影や歪みがないときには、綴じ部情報として、綴じ部「無」を取得する。綴じ部「有」は、原稿Ｄが綴じ部を有することを示し、綴じ部「無」は、原稿Ｄが綴じ部を有さないことを示す。
【００４８】
また、制御部４９は、綴じ部情報を、ステップＳ０６における載置読取りモードの実行時にカバー検出部１５から出力された検出信号に基づいて、取得してもよい。すなわち、制御部４９は、カバー検出部１５から出力された検出信号が、開閉カバー５が開いていることを示すときには、綴じ部情報として、綴じ部「有」を取得し、カバー検出部１５から出力された検出信号が、開閉カバー５が閉じていることを示すときには、綴じ部情報として、綴じ部「無」を取得する。なお、制御部４９は、綴じ部情報を、画像データおよび検出信号の双方に基づいて、取得してもよい。
【００４９】
そして、制御部４９は、ステップＳ０７において、綴じ部情報が綴じ部「無」であるときには、原稿Ｄが搬送読取りモードによる読取りに不適ではないと判断し、ステップＳ０８に進む。一方、制御部４９は、ステップＳ０７において、綴じ部情報が綴じ部「有」であるときには、原稿Ｄが搬送読取りモードによる読取りに不適であると判断し、ステップＳ０９に進む。
【００５０】
このように、制御部４９は、原稿Ｄが綴じ部を有さないときには、継足し確認画面６７に勧奨メッセージ８３を表示させるが、原稿Ｄが綴じ部を有するときには、継足し確認画面６７に勧奨メッセージ８３を表示させない。これにより、本や雑誌のように、綴じ部を有しており、搬送読取りモードによる読取りに適さない原稿Ｄが載置読取りモードにより読み取られたときには、継足し確認画面６７に勧奨メッセージ８３が表示されることなく、ユーザーを搬送読取りモードへ不必要に誘導することを抑制することができる。
【００５１】
なお、制御部４９は、ステップＳ０７において、原稿サイズ情報および綴じ部情報の双方に基づいて、原稿Ｄが搬送読取りモードによる読取りに不適であるか否かを判断してもよい。この場合、制御部４９は、原稿サイズ情報が示す原稿Ｄのサイズが、基準サイズよりも大きいこと、および、綴じ部情報が、綴じ部「無」であること、の双方を満たすときには、原稿Ｄが搬送読取りモードによる読取りに不適ではないと判断し、ステップＳ０８に進む。一方、制御部４９は、原稿サイズ情報が示す原稿Ｄのサイズが、基準サイズよりも小さいこと、および、綴じ部情報が、綴じ部「有」であること、の少なくとも１つを満たすときには、原稿Ｄが搬送読取りモードによる読取りに不適であると判断し、ステップＳ０９に進む。
【００５２】
また、図８に示したフローチャートでは、制御部４９は、原稿Ｄのサイズが基準サイズよりも大きいときには、２頁目の有無を問い合わせる継足し確認画面６７において、勧奨メッセージ８３を表示させる構成であるが、これに限定されるものではない。例えば、制御部４９は、２頁目の有無を問い合わせる継足し確認画面６７には勧奨メッセージ８３を表示させず、３頁目の有無を問い合わせる継足し確認画面６７に勧奨メッセージ８３を表示させてもよい。これにより、原稿Ｄの両面が読取り対象である場合に、載置読取りモードにより１枚目の原稿Ｄの一方の面の読取りが行われた後、１枚目の原稿ＤがＡＤＦ２７のセットトレイ３１にセットされ、載置読取りモードにより読取り済みの面が搬送読取りモードにより重複して読み取られることを回避することができる。
【００５３】
さらに、制御部４９は、片面読取りモードが選択されているときには、２頁目の有無を問い合わせる継足し確認画面６７に勧奨メッセージ８３を表示させ、両面読取りモードが選択されているときには、２頁目の有無を問い合わせる継足し確認画面６７には勧奨メッセージ８３を表示させず、３頁目の有無を問い合わせる継足し確認画面６７に勧奨メッセージ８３を表示させてもよい。これにより、原稿Ｄの片面が読取り対象である場合には、載置読取りモードにより１枚目の原稿Ｄの片面の読取りが行われた後、２枚目以降の原稿ＤをＡＤＦ２７のセットトレイ３１にセットするように、ユーザーを誘導することができる。また、原稿Ｄの両面が読取り対象である場合には、載置読取りモードにより１枚目の原稿Ｄの両面の読取りが行われた後、２枚目以降の原稿ＤをＡＤＦ２７のセットトレイ３１にセットするように、ユーザーを誘導することができる。
【００５４】
また、図８に示したフローチャートでは、制御部４９は、１回の読取りジョブにおいて、各継足し確認画面６７に、その都度、勧奨メッセージ８３を表示させる構成であるが、これに限定されるものではない。例えば、制御部４９は、１回の読取りジョブにおいて、最初の継足し確認画面６７に勧奨メッセージ８３を表示させた後、それ以降の継足し確認画面６７には勧奨メッセージ８３を表示させない構成でもよい。
【００５５】
（第２実施形態）
続いて、第２実施形態の読取り装置１について説明する。第２実施形態では、制御部４９は、ユーザーに搬送読取りモードを勧めるか否かの判断を、原稿Ｄが搬送読取りモードによる読取りに不適であるか否かを示す第１判断情報に代えて、ユーザーが搬送読取りモードを知らないか否かを示す第２判断情報に基づいて、行う。制御部４９は、第２判断情報に基づいて、ユーザーに搬送読取りモードを勧めると判断したときには、図９に示すように、勧奨メッセージ８３を設定実行開始画面６３に表示させる。一方、制御部４９は、第２判断情報に基づいて、ユーザーに搬送読取りモードを勧めないと判断したときには、図４に示すように、勧奨メッセージ８３を設定実行開始画面６３に表示させない。
【００５６】
図１０に基づいて、第２実施形態の読取り装置１において、制御部４９が実行する読取りジョブについて説明する。
【００５７】
制御部４９は、ステップＳ２１において、第２判断情報として、載置読取りモードが実行された読取りジョブの履歴を示す載置読取り履歴情報に基づいて、ユーザーが搬送読取りモードを知らないか否かを判断する。載置読取り履歴情報は、制御用記憶部５３に記憶されている。載置読取り履歴情報には、各読取りジョブにおいて、載置読取りモードにより読み取られた原稿Ｄの頁数を示す情報が含まれる。なお、載置読取りモードが実行された読取りジョブの履歴とは、例えば、読取り装置１の出荷時以降の履歴でもよく、直近の所定の回数の履歴でもよく、所定の期間内の履歴でもよい。
【００５８】
制御部４９は、ステップＳ２１において、載置読取り履歴情報に基づいて、載置読取りモードにより複数頁の原稿Ｄが読み取られた読取りジョブが基準回数より多いときには、ユーザーが搬送読取りモードを知らないと判断し、ステップＳ２２に進む。ここで、基準回数は、制御用記憶部５３に予め記憶されている。
【００５９】
制御部４９は、ステップＳ２２において、勧奨メッセージ８３を含む設定実行開始画面６３をタッチパネル９に表示させる（図９参照）。
【００６０】
一方、制御部４９は、ステップＳ２１において、載置読取り履歴情報に基づいて、載置読取りモードにより複数頁の原稿Ｄが読み取られた読取りジョブが基準回数より少ないときには、ユーザーが搬送読取りモードを知っていると判断し、ステップＳ２３に進む。
【００６１】
制御部４９は、ステップＳ２３において、勧奨メッセージ８３を含まない設定実行開始画面６３をタッチパネル９に表示させる（図４参照）。
【００６２】
制御部４９は、ステップＳ２４において、スタートボタン６９が操作されたか否かを判断する。制御部４９は、スタートボタン６９が操作されたと判断したときには、ステップＳ２５に進む。制御部４９は、スタートボタン６９が操作されていないと判断したときには、ステップＳ２４を繰り返し行う。
【００６３】
制御部４９は、ステップＳ２５において、原稿検出部３９から出力された検出信号に基づいて、ＡＤＦ２７のセットトレイ３１に原稿Ｄがセットされているか否かを判断する。制御部４９は、セットトレイ３１に原稿Ｄがセットされていると判断したときには、ステップＳ２６に進む。
【００６４】
制御部４９は、ステップＳ２６において、搬送読取りモードを実行する。制御部４９は、ステップＳ２７において、取得された画像データを外部装置１０１に出力した後、読取りジョブを終了する。
【００６５】
一方、制御部４９は、ステップＳ２５において、セットトレイ３１に原稿Ｄがセットされていないと判断したときには、ステップＳ２８に進む。
【００６６】
制御部４９は、ステップＳ２８において、載置読取りモードを実行する。
【００６７】
制御部４９は、ステップＳ２９において、継足し確認画面６７をタッチパネル９に表示させる。なお、この継足し確認画面６７には、勧奨メッセージ８３が表示されない（図７参照）。
【００６８】
制御部４９は、ステップＳ３０において、次原稿ありボタン７９が操作されたか、次原稿なしボタン８１が操作されたかを判断する。制御部４９は、次原稿ありボタン７９が操作されたと判断したときには、ステップＳ２３に戻る。一方、制御部４９は、次原稿なしボタン８１が操作されたと判断したときには、ステップＳ３１に進む。
【００６９】
制御部４９は、ステップＳ３１において、取得された画像データを外部装置１０１に出力する。
【００７０】
制御部４９は、ステップＳ３２において、載置読取り履歴情報を制御用記憶部５３に記憶し、読取りジョブを終了する。
【００７１】
このように、制御部４９は、載置読取りモードにより複数頁の原稿Ｄが読み取られた読取りジョブが基準回数より多い場合には、設定実行開始画面６３に勧奨メッセージ８３を表示させ、載置読取りモードにより複数頁の原稿Ｄが読み取られた読取りジョブが基準回数より少ない場合には、設定実行開始画面６３に勧奨メッセージ８３を表示させない。これにより、載置読取りモードにより複数頁の原稿Ｄの読取りを行ったことが多いユーザー、すなわち、搬送読取りモードを知らないと思われるユーザーに対しては、勧奨メッセージ８３が表示されるが、載置読取りモードにより複数頁の原稿Ｄの読取りを行ったことが少ないユーザー、すなわち、搬送読取りモードを知っていると思われるユーザーに対しては、勧奨メッセージ８３が表示されない。したがって、搬送読取りモードを知っているユーザーを搬送読取りモードへ不必要に誘導することを抑制することができる。また、搬送読取りモードを知らないと思われるユーザーに対しては、１頁目の原稿Ｄの読取り前に表示される設定実行開始画面６３に勧奨メッセージ８３が表示されるため、１頁目の原稿Ｄからユーザーを搬送読取りモードへ誘導することができる。
【００７２】
なお、制御部４９は、載置読取りモードにより複数頁の原稿Ｄが読み取られた読取りジョブが基準回数より多いか否かの判断に代えて、載置読取りモードが実行された全読取りジョブに対して載置読取りモードにより複数頁の原稿Ｄが読み取られた読取りジョブが、所定の割合より多いか否かを判断してもよい。
【００７３】
また、載置読取り履歴情報は、ユーザー別に、載置読取りモードが実行された読取りジョブの履歴を示すものでもよい。この場合、制御部４９は、ステップＳ２１において、ユーザーを識別するためのユーザー識別情報を取得し、取得したユーザー識別情報に対応した読取りジョブについて、複数頁の原稿Ｄが読み取られた読取りジョブが基準回数より多いか否かを判断すればよい。これにより、読取り装置１を使用するユーザーが複数存在する場合にも、搬送読取りモードを知っているユーザーに対しては、勧奨メッセージ８３を表示させ、搬送読取りモードを知らないユーザーに対しては、勧奨メッセージ８３が表示させないことができる。このように、制御部４９は、読取り装置１を現在使用中のユーザーを識別し、当該ユーザーの履歴に基づいて、ユーザーに搬送読取りモードを勧めるか否かを判断してもよく、上記の実施形態のように、読取り装置１を使用した全てもユーザーの履歴に基づいて判断してもよい。
【００７４】
（その他の変形例）
読取り装置１は、上記の実施形態に限定されず、その趣旨を逸脱しない範囲で種々の構成を採用可能であることは言うまでもない。例えば、上記の実施形態は、上述したほか、以下のような形態に変更することができる。
【００７５】
制御部４９は、読取りジョブを開始した後、載置読取り履歴情報を参照し、継足し確認画面６７に勧奨メッセージ８３が表示された読取りジョブが所定の回数より多いときに、設定実行開始画面６３に勧奨メッセージ８３を表示してもよい。また、これとは逆に、制御部４９は、読取りジョブを開始した後、載置読取り履歴情報を参照し、継足し確認画面６７に勧奨メッセージ８３が表示された読取りジョブが所定の回数より少ないときに、設定実行開始画面６３に勧奨メッセージ８３を表示してもよい。
【００７６】
制御部４９は、勧奨メッセージ８３と共に、今後は勧奨メッセージ８３を表示させないためのチェックボックス付きのメッセージ等を、タッチパネル９に表示させてもよい。これにより、搬送読取りモードを知っているユーザーや、搬送読取りモードを使いたくないユーザーに対して、無駄に勧奨メッセージ８３が表示されることを抑制することができる。
【００７７】
制御部４９は、ユーザーに載置読取りモードを勧める方法として、勧奨メッセージ８３をタッチパネル９に表示させる構成に限定されるものではない。例えば、制御部４９は、ユーザーに載置読取りモードを勧める方法として、勧奨メッセージ８３を表示させるのではなく、開閉カバー５に設けられたＬＥＤ（Light Emitting Diode）を点灯或いは点滅させてもよく、勧奨メッセージ８３と同様の内容の音声をスピーカーから出力させてもよい。すなわち、報知部は、タッチパネル９等の表示部、ＬＥＤ等の発光部、スピーカー等の音声出力部を含む概念である。また、報知部は、読取り装置１に備えられた構成に限定されず、読取り装置１の外部に設けられた構成でもよい。
【００７８】
制御部４９は、搬送読取りモードが実行されたときに、載置読取りモードの方が適していると判断した場合には、載置読取りモードを勧める構成でもよい。どのような原稿Ｄが、搬送読取りモードおよび載置読取りモードのいずれに適しているかの判断は、上述のものに限らない。なお、同じ原稿Ｄについて、搬送読取りモードにより読み取られた場合に載置読取りモードを勧め、載置読取りモードにより読み取られた場合に搬送読取りモードを勧めるようなことは望ましくない。このため、このようなことが起きないようにするため、一方のモードにより原稿Ｄの読取りが行われた後に他方のモードを勧めた場合、同じ原稿Ｄが勧められた他方のモードにより読み取られた後、元のモードを勧めないように、他方のモードの実行後に同じ原稿Ｄの読取りに基づく勧奨を禁止することが望ましい。
【００７９】
読取り装置１は、読取り機能だけでなく、コピー機能、ファクシミリ機能などを兼ね備えた構成でもよい。すなわち、「読取り装置」は、読取り機能、コピー機能、ファクシミリ機能などを備えた複合機を含む概念である。
【００８０】
読取り装置１は、上記した実施形態や変形例をそれぞれ組み合わせた構成でもよい。例えば、ユーザーが搬送読取りモードを知らず、かつ、原稿Ｄが搬送読取りに適している、と判断した場合には、勧奨メッセージ８３を表示し、ユーザーが搬送読取りモードを知っていること、および原稿Ｄが搬送読取りに不適当であること、の少なくとも一方を満たすと判断した場合には、勧奨メッセージ８３を非表示としてもよい。
【００８１】
（付記）
以下、読取り装置について付記する。
読取り装置は、ユーザーにより原稿がセットされるセット部を有し、セット部にセットされた原稿を搬送する搬送部と、ユーザーにより原稿が載置される載置部と、を備え、搬送部により搬送される原稿を読み取る搬送読取りモードと、載置部に載置された原稿を読み取る載置読取りモードと、を実行可能な読取り装置であって、載置読取りモードが実行されたことにより取得された判断情報に基づいて、ユーザーに搬送読取りモードを勧めるか否かを判断し、搬送読取りモードを勧めると判断したときに、搬送読取りモードを勧めるように報知部を制御し、搬送読取りモードを勧めないと判断したときに、搬送読取りモードを勧めないように報知部を制御する制御部、を備えた。
【００８２】
この構成によれば、載置読取りモードが実行されたことにより取得された判断情報に基づいて、ユーザーに搬送読取りモードを勧めるか否かを判断することで、必要に応じてユーザーを搬送読取りモードへ誘導することができる。
【００８３】
この場合、制御部は、判断情報として、原稿が搬送読取りモードによる読取りに不適であるか否かを示す第１判断情報を取得し、制御部は、ユーザーに搬送読取りモードを勧めるか否かの判断として、第１判断情報に基づいて、原稿が搬送読取りモードによる読取りに不適であるか否かを判断し、原稿が搬送読取りモードによる読取りに不適ではないと判断したときに、搬送読取りモードを勧めるように報知部を制御し、原稿が搬送読取りモードによる読取りに不適であると判断したときに、搬送読取りモードを勧めないように報知部を制御することが好ましい。
【００８４】
この構成によれば、搬送読取りモードによる読取りに適さない原稿が載置読取りモードにより読み取られたときに、ユーザーを搬送読取りモードへ不必要に誘導することを抑制することができる。
【００８５】
この場合、制御部は、原稿のサイズを示す原稿サイズ情報を、第１判断情報として取得し、制御部は、原稿サイズ情報が示す原稿のサイズが、基準サイズよりも大きいときに、原稿が搬送読取りモードによる読取りに不適ではないと判断し、原稿サイズ情報が示す原稿のサイズが、基準サイズよりも小さいときに、原稿が搬送読取りモードによる読取りに不適であると判断することが好ましい。
【００８６】
この構成によれば、写真や運転免許証のように、原稿のサイズが小さく、搬送読取りモードによる読取りに適さない原稿が載置読取りモードにより読み取られたときに、ユーザーを搬送読取りモードへ不必要に誘導することを抑制することができる。
【００８７】
この場合、制御部は、載置読取りモードにより読み取られた原稿の画像データに基づいて、原稿サイズ情報を取得することが好ましい。
【００８８】
この構成によれば、載置読取りモードにより読み取られた原稿の画像データを利用して、原稿のサイズを示す原稿サイズ情報を取得することができる。
【００８９】
この場合、制御部は、原稿が綴じ部を有するか否かを示す綴じ部情報を、第１判断情報として取得し、制御部は、綴じ部情報が、原稿が綴じ部を有さないことを示すときに、原稿が搬送読取りモードによる読取りに不適ではないと判断し、綴じ部情報が、原稿が綴じ部を有することを示すときに、原稿が搬送読取りモードによる読取りに不適であると判断することが好ましい。
【００９０】
この構成によれば、本や雑誌のように、綴じ部を有しており、搬送読取りモードによる読取りに適さない原稿が載置読取りモードにより読み取られたときに、ユーザーを搬送読取りモードへ不必要に誘導することを抑制することができる。
【００９１】
この場合、制御部は、載置読取りモードにより読み取られた原稿の画像データに基づいて、綴じ部情報を取得することが好ましい。
【００９２】
この構成によれば、載置読取りモードにより読み取られた原稿の画像データを利用して、原稿が綴じ部を有するか否かを示す綴じ部情報を取得することができる。
【００９３】
この場合、載置部を開閉する開閉カバーと、開閉カバーの開閉状態に応じて異なる検出信号を出力するカバー検出部と、を備え、制御部は、載置読取りモードの実行時にカバー検出部から出力された検出信号に基づいて、綴じ部情報を取得することが好ましい。
【００９４】
この構成によれば、載置読取りモードの実行時にカバー検出部から出力された検出信号を利用して、原稿が綴じ部を有するか否かを示す綴じ部情報を取得することができる。
【００９５】
この場合、制御部は、載置読取りモードが実行された後、次の頁の原稿の有無をユーザーに問い合わせる継足し確認画面を、報知部に表示させ、制御部は、搬送読取りモードを勧めると判断したときに、継足し確認画面において、搬送読取りモードを勧める勧奨メッセージが表示されるように、報知部を制御することが好ましい。
【００９６】
この構成によれば、勧奨メッセージが継足し確認画面に表示されることで、ユーザーを搬送読取りモードへ的確に誘導することができる。
【００９７】
この場合、制御部は、搬送読取りモードを勧めると判断したときに、２頁目の有無を問い合わせる継足し確認画面には、勧奨メッセージが表示されず、３頁目の有無を問い合わせる継足し確認画面に、勧奨メッセージが表示されるように、報知部を制御することが好ましい。
【００９８】
この構成によれば、原稿の両面が読取り対象である場合に、載置読取りモードにより１枚目の原稿の一方の面の読取りが行われた後、１枚目の原稿が搬送部にセットされ、載置読取りモードにより読取り済みの面が搬送読取りモードにより重複して読み取られることを回避することができる。
【００９９】
この場合、搬送読取りモードにおいて、原稿の片面を読み取る片面読取りモードと、原稿の両面を読み取る両面読取りモードと、のいずれかをユーザーに選択させる選択部、を備え、制御部は、搬送読取りモードを勧めると判断したときに、片面読取りモードが選択されていると、２頁目の有無を問い合わせる継足し確認画面に、勧奨メッセージが表示され、両面読取りモードが選択されていると、２頁目の有無を問い合わせる継足し確認画面には、勧奨メッセージが表示されず、３頁目の有無を問い合わせる継足し確認画面に、勧奨メッセージが表示されるように、報知部を制御することが好ましい。
【０１００】
この構成によれば、原稿の片面が読取り対象である場合には、載置読取りモードにより１枚目の原稿の片面の読取りが行われた後、２枚目以降の原稿を搬送部にセットするように、ユーザーを誘導することができる。また、原稿の両面が読取り対象である場合には、載置読取りモードにより１枚目の原稿の両面の読取りが行われた後、２枚目以降の原稿を搬送部にセットするように、ユーザーを誘導することができる。
【０１０１】
この場合、制御部は、判断情報として、ユーザーが搬送読取りモードを知らないか否かを示す第２判断情報を取得し、制御部は、ユーザーに搬送読取りモードを勧めるか否かの判断として、第２判断情報に基づいて、ユーザーが搬送読取りモードを知らないか否かを判断し、ユーザーが搬送読取りモードを知らないと判断したときに、搬送読取りモードを勧めるように報知部を制御し、ユーザーが搬送読取りモードを知っていると判断したときに、搬送読取りモードを勧めないように報知部を制御することが好ましい。
【０１０２】
この構成によれば、ユーザーが搬送読取りモードを知っているときに、ユーザーを搬送読取りモードへ不必要に誘導することを抑制することができる。
【０１０３】
この場合、制御部は、載置読取りモードが実行された読取りジョブの履歴を示す載置読取り履歴情報を、第２判断情報として取得し、制御部は、載置読取り履歴情報に基づいて、載置読取りモードにより複数頁の原稿が読み取られた読取りジョブが基準回数より多いときに、ユーザーが搬送読取りモードを知らないと判断し、載置読取りモードにより複数頁の原稿が読み取られた読取りジョブが基準回数より少ないときに、ユーザーが搬送読取りモードを知っていると判断することが好ましい。
【０１０４】
この構成によれば、載置読取りモードにより複数頁の原稿の読取りを行ったことが少ないユーザー、すなわち、搬送読取りモードを知っていると思われるユーザーに対しては、勧奨メッセージが表示されない。したがって、搬送読取りモードを知っているユーザーを搬送読取りモードへ不必要に誘導することを抑制することができる。
【符号の説明】
【０１０５】
１…読取り装置、３…本体ケース、５…開閉カバー、１３…載置部、１５…カバー検出部、１７…キャリッジ、１９…キャリッジモーター、２１…第１読取り部、２３…第１光源、２５…第１イメージセンサー、２９…第２読取り部、３１…セットトレイ、３３…搬送経路、３５…排出トレイ、３７…搬送モーター、３９…原稿検出部、４１…供給ローラー、４３…搬送ローラー対、４５…第２光源、４７…第２イメージセンサー、Ｄ…原稿
【図１】
2020039037.tif 000003
【図２】
2020039037.tif 000004
【図３】
2020039037.tif 000005
【図４】
2020039037.tif 000006
【図５】
2020039037.tif 000007
【図６】
2020039037.tif 000008
【図７】
2020039037.tif 000009
【図８】
2020039037.tif 000010
【図９】
2020039037.tif 000011
【図１０】
2020039037.tif 000012